(57)【特許請求の範囲】
【請求項１】
アクセスネットワーク選択及びトラフィックステア用に構成されるユーザ機器（ＵＥ）であって、
ワイヤレスワイドエリアネットワーク（ＷＷＡＮ）を通じて通信する第１のワイヤレスインターフェースと、
ワイヤレスローカルエリアネットワーク（ＷＬＡＮ）を通じて通信する第２のワイヤレスインターフェースと、
プロセッサと
を備え、
前記プロセッサは、
前記ＷＬＡＮへのオフロードが許可される１又は複数の第１パケットデータネットワーク（ＰＤＮ）コネクション、及び、前記ＷＬＡＮへのオフロードが制約される１又は複数の第２ＰＤＮコネクションをＰＤＮコネクションごとに示すオフロード情報を前記ＷＷＡＮの進化型パケットコア（ＥＰＣ）におけるモビリティ管理機能から受信し、
前記ＷＷＡＮから無線リソース制御（ＲＲＣ）シグナリングを通じて無線アクセスネットワーク（ＲＡＮ）補助情報を受信し、
前記ＲＡＮ補助情報と複数のオフロードルールとの比較に基づいて、前記ＷＬＡＮにトラフィックをオフロードすることを決定し、
トラフィックをオフロードする前記決定に応じて、前記１又は複数の第１ＰＤＮコネクションを前記ＷＬＡＮにオフロードする
ように構成される、ＵＥ。
【請求項２】
前記オフロード情報は、特定のＷＷＡＮ無線アクセス技術に対応する、請求項１に記載のＵＥ。
【請求項３】
前記オフロード情報は、前記ＵＥに対応するサブスクリプションデータに基づく、請求項１又は２に記載のＵＥ。
【請求項４】
前記複数のオフロードルールは、システム間ルーティングポリシー（ＩＳＲＰ）ルール及びアクセスポイント名（ＡＰＮ）間ルーティングポリシー（ＩＡＲＰ）ルールのうち少なくとも一方を含むアクセスネットワーク発見及び選択機能（ＡＮＤＳＦ）ルールを有し、前記ＡＮＤＳＦルールは、１又は複数の閾値条件及びオフロードプレファレンスインジケータ（ＯＰＩ）条件を有する、請求項１から３の何れか一項に記載のＵＥ。
【請求項５】
前記１又は複数の閾値条件は、前記ＲＡＮ補助情報により提供されるＷＷＡＮ閾値に関連し、前記プロセッサは、前記ＷＷＡＮ閾値と、対応する測定された値との比較により前記１又は複数の閾値条件を評価するようにさらに構成される、請求項４に記載のＵＥ。
【請求項６】
前記１又は複数の閾値条件のうちの第１の閾値条件は、前記ＲＡＮ補助情報で提供される第１のＷＬＡＮ閾値に関連し、前記プロセッサは、前記第１のＷＬＡＮ閾値と、前記ＷＬＡＮから受信された対応する値との比較により前記第１の閾値条件を評価するようにさらに構成される、請求項４に記載のＵＥ。
【請求項７】
前記１又は複数の閾値条件のうちの第２の閾値条件は、前記ＡＮＤＳＦにより提供される第２のＷＬＡＮ閾値に関連し、前記プロセッサは、前記ＡＮＤＳＦにより提供される前記第２のＷＬＡＮ閾値と、前記ＷＬＡＮから受信した対応する値との比較により前記第２の閾値条件を評価するようにさらに構成される、請求項６に記載のＵＥ。
【請求項８】
前記プロセッサは、前記ＲＲＣシグナリングを通じて、前記第２の閾値条件に関連する第３のＷＬＡＮ閾値を受信するようにさらに構成され、前記プロセッサは、前記第３のＷＬＡＮ閾値と、前記ＷＬＡＮから受信した対応する値との比較により前記第２の閾値条件を評価するべく、前記第２のＷＬＡＮ閾値を前記第３のＷＬＡＮ閾値に置き換えるようにさらに構成される、請求項７に記載のＵＥ。
【請求項９】
前記ＲＡＮ補助情報は、ＷＷＡＮ閾値及びＷＬＡＮ閾値のうちの少なくとも一方を有する、請求項１から８の何れか一項に記載のＵＥ。
【請求項１０】
前記ＷＷＡＮ閾値は、基準信号受信電力（ＲＳＲＰ）閾値、共通パイロットチャネル（ＣＰＩＣＨ）の総雑音電力密度分のチップ毎（Ｅｃ／Ｎｏ）閾値及び基準信号受信品質（ＲＳＲＱ）閾値を含む第１のグループから選択され、
前記ＷＬＡＮ閾値は、ビーコン受信信号強度インジケータ（ＲＳＳＩ）閾値、バックホールデータレート閾値及び基本サービスセット（ＢＳＳ）負荷閾値を含む第２のグループから選択される、請求項９に記載のＵＥ。
【請求項１１】
スピーカ、マイク、コネクションポート、キーボード、タッチスクリーン、バッテリ、メモリポート及び１又は複数のアンテナのうち少なくとも１つをさらに備える、請求項１から１０の何れか一項に記載のＵＥ。
【請求項１２】
前記ＷＷＡＮは、第３世代パートナーシッププロジェクト（３ＧＰＰ）ネットワークを含む、請求項１から１１の何れか一項に記載のＵＥ。
【請求項１３】
前記ＷＬＡＮは、非３ＧＰＰネットワークを含む、請求項１から１２の何れか一項に記載のＵＥ。
【請求項１４】
ワイヤレスワイドエリアネットワーク（ＷＷＡＮ）の進化型パケットコア（ＥＰＣ）内のプロセッサに、
前記ＷＷＡＮからワイヤレスローカルエリアネットワーク（ＷＬＡＮ）へのオフロードが許可される１又は複数の第１パケットデータネットワーク（ＰＤＮ）コネクション、及び、前記ＷＬＡＮへのオフロードが制約される１又は複数の第２ＰＤＮコネクションを示すオフロード情報をパケットデータネットワーク（ＰＤＮ）コネクションごとに生成する手順と、
ユーザ機器（ＵＥ）に前記オフロード情報を通信する手順と、
前記ＵＥに無線リソース制御（ＲＲＣ）を通じて無線アクセスネットワーク（ＲＡＮ）補助情報を通信する手順と
を実行させ、
前記ＲＡＮ補助情報は、前記ＷＷＡＮから前記ＷＬＡＮへのオフロードが許可された前記１又は複数の第１ＰＤＮコネクションに対するトラフィックオフロードを実行するか否かを決定する複数のルールを含む、プログラム。
【請求項１５】
前記ＲＡＮ補助情報は、ＷＷＡＮ閾値及びＷＬＡＮ閾値のうちの少なくとも一方を含む、請求項１４に記載のプログラム。
【請求項１６】
請求項１４又は１５に記載のプログラムを格納するコンピュータ可読記録媒体。
【発明の詳細な説明】
【技術分野】
【０００１】
［関連出願］  本願は、２０１３年９月２７日に出願された米国仮出願第６１／８８３，７３１号の米国特許法第１１９（ｅ）の利益を請求し、その全体において参照によりここに組み込まれる。
【０００２】
本開示は、トラフィックオフロードに関連し、より具体的には、ネットワーク情報に少なくとも部分的に基づくワイヤレストラフィックオフロードに関連する。
【図面の簡単な説明】
【０００３】
【図１】ここに開示される実施形態に従う通信システムを示す概略図である。
【図２】ここに開示される実施形態に従うユーザ機器（ＵＥ）及び複数のワイヤレスローカルエリアネットワーク（ＷＬＡＮ）アクセスポイント（ＡＰ）の例を示す概略図である。
【図３】ここに開示される実施形態に従うトラフィックをオフロードするための方法の概略図である。
【図４】ここに開示される実施形態に従うトラフィックをオフロードするためのより詳細な方法の概略図である。
【図５】ここに開示される実施形態に従うトラフィックをオフロードするための代替の方法の概略図である。
【図６】ここに開示される実施形態に従うトラフィックをオフロードするための他の方法の概略図である。
【図７】ここに開示される実施形態に従う強化されたワイヤレスプロトコルスタックの概略ブロック図である。
【図８】ここに開示される実施形態に従うモバイルデバイスの概略図である。
【発明を実施するための形態】
【０００４】
本開示の実施形態に従うシステム及び方法の詳細な説明が、以下に提供される。いくつかの実施形態が説明されるが、その開示は、任意の一実施形態に限定されず、むしろ、多くの代替手段、修正されたもの、及び均等物を包含することが理解されるべきである。さらに、多くの具体的な詳細が、ここに開示される実施形態の深い理解を提供すべく、以下の説明において説明されるが、いくつかの実施形態は、これらの詳細のいくつか又は全てがなくても実施され得る。さらに、明瞭さの目的のために、関連分野において知られる特定の技術的な材料は、不必要にその開示を分かりにくくすることを防ぐために、詳細に説明されていない。
【０００５】
２つのワイヤレスアクセスポイントの間のワイヤレス通信トラフィックオフロードを可能にする技術、装置、及び方法が開示される。例えば、ユーザ機器（ＵＥ）は、モバイルブロードバンド（ＭＢＢ）ネットワーク（例えば、ＬＴＥネットワーク）等の無線アクセス技術（ＲＡＴ）を用いて、無線アクセスネットワーク（ＲＡＮ）に接続される。ＵＥは、どのネットワーク機能がトラフィックオフロードのために利用可能であるかを決定し、提示されたその機能に適応し得る。一実施形態において、ＵＥは、ネットワークが３つの異なる構成：（１）アクセスネットワーク検出及び選択機能（ＡＮＤＳＦ）がない複数のＲＡＮルール、（２）複数のＲＡＮルールと併用されるＡＮＤＳＦ、又は（３）ＲＡＮ補助を伴う強化されたＡＮＤＳＦをサポートするか否かを決定し得る。ＵＥが、（１）ＡＮＤＳＦがない複数のＲＡＮルールが保証された構成であることを決定する場合、ＵＥは、トラフィックオフロードを実行するか否かを決定するために、複数のＲＡＮルールを伴うＲＡＮ補助情報を用い得る。ＵＥが、（２）複数のＲＡＮルールと併用されるＡＮＤＳＦの構成が保証されると決定する場合、複数のＲＡＮルールは、ＡＮＤＳＦと共に評価され、ＲＡＮ補助は、ＲＡＮルールの評価において用いられる。ＵＥが、（３）ＲＡＮ補助を伴う強化されたＡＮＤＳＦが保証された構成であると決定する場合、ＲＡＮ補助情報は、複数のＡＮＤＳＦルールを評価するために用いられる。
【０００６】
第１のシナリオに対応する一実施形態において、ＵＥは、複数のネットワーク品質測定結果の複数の閾値、及びどのパケットデータネットワーク（ＰＤＮ）がＬＴＥからオフロードされ得るかについての複数の制約を記述するＲＡＮからのオフロード構成情報を受信する。ＵＥは、トラフィックオフロードのために利用可能である利用可能な複数のネットワークの記述、例えばＷＬＡＮ識別子を取得し得る。複数の閾値に少なくとも部分的に基づく複数のネットワークルールを用いて、ＵＥは、複数の他の利用可能なネットワークにトラフィックをオフロードするか否かについて評価し得る。評価及び複数の制約に基づいて、ＵＥは、複数のＰＤＮのいくつかを利用可能なネットワーク（例えば、ワイヤレスローカルエリアネットワーク（ＷＬＡＮ）アクセスポイント（ＡＰ））にオフロードし得る。
【０００７】
第３のシナリオに対応する一実施形態において、ＵＥは、複数のネットワーク品質測定結果の複数の閾値、及びどのパケットデータネットワーク（ＰＤＮ）がＬＴＥからオフロードされ得るかについての複数の制約を記述するＬＴＥネットワーク進化型パケットコア（ＥＰＣ）からのオフロード構成情報を受信する。ＵＥは、トラフィックオフロードのために利用可能である利用可能な複数のネットワークの記述、例えばＷＬＡＮ識別子を取得し得る。複数の閾値に少なくとも部分的に基づく複数のネットワークルールを用いて、ＵＥは、複数の他の利用可能なネットワークにトラフィックをオフロードするか否かについて評価し得る。評価及び複数の制約に基づいて、ＵＥは、複数のＰＤＮのいくつかを利用可能なネットワーク（例えば、ワイヤレスローカルエリアネットワーク（ＷＬＡＮ）アクセスポイント（ＡＰ））にオフロードし得る。
【０００８】
他の実施形態において、トラフィックオフロードは、また、反対方向において行われ得る。ユーザ機器（ＵＥ）は、ＷＬＡＮ  ＡＰに接続される。ＵＥは、複数のネットワーク品質測定結果の複数の閾値、及びどのパケットデータネットワーク（ＰＤＮ）がＷＬＡＮからオフロードされ得るかについての複数の制約を記述するＥＰＣからのオフロード構成情報を受信する。ＵＥは、ＬＴＥを介してトラフィックオフロードのために利用可能である利用可能な複数のネットワークの記述、例えば進化型ノードＢ（ｅＮＢ又はｅＮｏｄｅＢ）識別子を取得し得る。複数の閾値に少なくとも部分的に基づく複数のネットワークルールを用いて、ＵＥは、複数の他の利用可能なネットワークにトラフィックをオフロードするか否かについて評価し得る。評価及び複数の制約に基づいて、ＵＥは、複数のＰＤＮのいくつかを利用可能ネットワーク（例えば、ｅＮＢ）にオフロードし得る。
【０００９】
ワイヤレスモバイル通信技術は、基地局とワイヤレスモバイルデバイスとの間でデータを送信するために、様々な規格及びプロトコルを用いる。ワイヤレス通信システムの規格及びプロトコルは、第３世代パートナーシッププロジェクト（３ＧＰＰ）ロングタームエボリューション（ＬＴＥ）規格、ワールドワイド・インターオペラビリティ・フォー・マイクロウェーブ・アクセス（ＷｉＭＡＸ）として業界団体に一般に知られている電気電子技術者協会（ＩＥＥＥ）８０２．１６規格、及びＷｉ−Ｆｉとして業界団体に一般に知られているＩＥＥＥ８０２．１１規格を含み得る。ＬＴＥシステムにおける３ＧＰＰ無線アクセスネットワーク（ＲＡＮ）において、基地局は、進化型ユニバーサル地上波無線アクセスネットワーク（Ｅ−ＵＴＲＡＮ）ノードＢ（また、進化型ノードＢ、強化型ノードＢ、ｅＮｏｄｅＢ、又はｅＮＢとして一般に示される）、及び／又はＥ−ＵＴＲＡＮにおける無線ネットワークコントローラ（ＲＮＣ）を含み得、ユーザ機器（ＵＥ）として知られるワイヤレス通信デバイスと通信する。
【００１０】
セルラーワイヤレスネットワーク（例えば、３ＧＰＰネットワーク）における共通の目標は、認可された帯域幅の効率的な使用である。ＵＥ又は他のモバイルワイヤレスデバイスが認可された帯域幅の使用を低減することに役立つ１つの手法は、オフロードを用いることである。例えば、ＵＥは、さらに他のタイプのネットワークに、又は代替的に少なくともいくつかのデータがそれを通じてオフロードされてよいセルラーワイヤレスネットワークに接続するように構成される。一実施形態において、ＵＥは、３ＧＰＰ又は他のセルラーワイヤレスネットワーク上の帯域幅の使用を低減するために、ワイヤレスローカルエリアネットワーク（ＷＬＡＮ）（例えば、Ｗｉ−Ｆｉネットワーク）に接続し、ＷＬＡＮ上にトラフィックフローをルーティングするように構成される。
【００１１】
３ＧＰＰ内の進化型パケットシステム（ＥＰＳ）において、アクセスネットワーク検出及び選択機能（ＡＮＤＳＦ）は、例えば、システム間モビリティポリシー（ＩＳＭＰ）及び／又はシステム間ルーティングポリシー（ＩＳＲＰ）の使用を通じて、どのアクセス技術がコネクションのために好ましいか、及び／又は特定の条件の下で特定のＩＰトラフィックのために好ましいかを、複数のデバイスが決定することを可能にするメカニズムを定義している。現在、複数のレガシーＡＮＤＳＦポリシーは、無線ネットワークの条件に関連する複数のパラメータに対する限定されたサポートを提供する（しかし、そのようなポリシーは、いくつかの実施形態において、無線ネットワークからのさらなる補助を通じて強化されてよく、複数のＬＴＥ関連無線パラメータを含む）。これは、他の非３ＧＰＰの特定の無線アクセス技術（ＲＡＴ）プレファレンスに関連する他のものより特定の３ＧＰＰ  ＲＡＴを優先する複数のポリシーを提供するオペレータの能力を制限する。
【００１２】
ネットワークインフラストラクチャに応じて、トラフィックオフロードは、ＲＡＮ補助、レガシーＡＮＤＳＦ、及び強化されたＡＮＤＳＦの実施形態を用いてサポートされ得る。第１の実施形態において（図４をまた参照）、ＲＡＮは、オフロードプレファレンスインジケータ（ＯＰＩ）、複数のＷＬＡＮ閾値（ｂｓｓ負荷、ＲＳＮＩ、ＲＣＰＩ等）、複数のＲＡＮ閾値（ＲＳＲＰ等）、及び／又は他の情報等の補助情報を提供する。この実施形態は、複数のＡＮＤＳＦルールがそのような情報を用いるために強化される場合、ＡＮＤＳＦと共に用いられ得る。第２の実施形態において（図５をまた参照）、ＲＡＮは、解決策１と同様の補助情報を提供する。補助情報に含まれる複数のパラメータは、２０１４年３月１９日に公開された３ＧＰＰ  ＴＳ  ３６．３０４バージョン１２．０．０、及び２０１４年３月１９日に公開された３ＧＰＰ  ＴＳ２５．３０４バージョン１２．１．０等のＲＡＮ仕様書において定義される複数のルールによって用いられる。ＡＮＤＳＦが配備されない場合、複数のＷＬＡＮ識別子は、無線リソース制御（ＲＲＣ）シグナリング、オープンモバイルアライアンスデバイス管理（ＯＭＡ  ＤＭ）、又は他の手段を介して提供される。ＡＮＤＳＦが配備される場合、複数のＡＮＤＳＦルールは、複数のＲＡＮルールと共に評価され得る。
【００１３】
異なるオペレータは、異なる配備のシナリオを有し得る。特定のオペレータがＡＮＤＳＦを配備することを計画し、したがってＡＮＤＳＦの解決策を好むが、いくつかの他のオペレータは、ＡＮＤＳＦに基づかない解決策を有することを好む。ＡＮＤＳＦがあってもなくても機能するハイブリッドな解決策は、多くのオペレータのニーズに応え得る。さらに、特定のオペレータがレガシー又は強化されたＡＮＤＳＦに基づく解決策を配備してよいが、他のオペレータからローミングしているＵＥは、異なる解決策を実装してよい。したがって、異なる実施形態が同一のＵＥにおいてどのように実装され得るかを定義することが重要である。
【００１４】
明瞭さのために、多くの例がＬＴＥからＷＬＡＮにトラフィックをオフロードするＵＥに焦点を合わせるが、オフロードは、また、反対方向において異なるワイヤレス技術（様々な無線アクセス技術（ＲＡＴ）等）で行われ得ることが認識されるべきである。例えば、この機能性は、両方の方向において、すなわちセルラーからＷＬＡＮへ及びＷＬＡＮからセルラーへ、トラフィックをムーブ／ステア／オフロードすることをサポートする。したがって、ＵＥ及びネットワークインフラストラクチャは、セルラーネットワークと他のワイヤレス技術との間でトラフィックを移動することを許可するために協働し得る。
【００１５】
図１は、ＵＥ１０２又は他のモバイルワイヤレスデバイスにワイヤレス通信サービスを提供する通信システム１００の概略図である。示される実施形態において、システム１００は、セルタワー１０４及びＷＬＡＮ  ＡＰ１０６と通信し得るＵＥを含む。ＵＥは、セルタワー１０４からのセルカバレッジ１０８、及びＷＬＡＮ  ＡＰ１０６からのＷＬＡＮカバレッジ１１０を含む地理的位置に位置付けられる。セルタワー１０４及びＷＬＡＮ  ＡＰ１０６は、ネットワークインフラストラクチャ１１６へのバックホールコネクションを含む。ＵＥ１０２は、アクセスリンクＡ１１２を介してセルタワー１０４と、アクセスリンクＢ１１４を介してＷＬＡＮ  ＡＰ１０６と通信し得る。
【００１６】
一実施形態において、ＵＥ１０２は、セルタワー１０４によって提供されるマクロセル内にある。ＵＥ１０２は、サービスがアクセスリンクＡ１１２を介してセルタワー１０４によって十分に提供され得ないことを決定する。オフロード構成データを用いて、ＵＥ１０２は、少なくともそのサービスが他のコネクションにオフロードされ得ることを決定する。ＵＥ１０２は、ＷＬＡＮ  ＡＰ１０６によって提供されるＷＬＡＮネットワーク等の利用可能な複数のネットワークの記述を取得する。ＵＥ１０２は、複数のルールのセットに基づいて、利用可能な複数のネットワークを評価する。複数のルールに基づいて、ＵＥ１０２は、ＷＬＡＮ  ＡＰ１０６に接続し、少なくともいくつかのトラフィックをアクセスリンクＢ１１４を介してステアすることを決定する。
【００１７】
例えば、ＵＥ１０２は、セルタワー１０４としてのｅＮＢ及びＷＬＡＮ  ＡＰ１０６と通信するセルラーデバイスであり得る。ＵＥ１０２は、ＬＴＥを用いてセルタワー１０４と通信する。ＵＥ１０２は、ルール（例えば、ＡＮＤＳＦルール又はＲＡＮルール）と併用して、アクセスリンクＡ１１２を介するＬＴＥコネクション（例えば、３ＧＰＰ信号強度インジケータ又はオフロードプレファレンスインジケータ（ＯＰＩ））を評価する。ＵＥ１０２は、ＡＮＤＳＦ（又はＲＡＮ）を介して、利用可能な複数のネットワークのリスト及び構成情報を受信し得る。構成情報、複数のオフロードルール、及び利用可能な複数のネットワークのリストを用いて、ＵＥ１０２は、ＩＥＥＥ８０２．１１プロトコルを用いて、ＷＬＡＮ  ＡＰ１０６に接続することを決定し得る。ＵＥ１０２は、さらに、どのＰＤＮを８０２．１１を介してステアするか、及びどのプロトコルをＬＴＥを介する状態を保持するかを評価し得る。いくつかの実施形態において、全ての通信は、８０２．１１を介してルーティングされ得、ＵＥ１０２は、ＬＴＥハードウェアに低電力状態に入らせ得る。
【００１８】
利用可能な複数のネットワークのリストは、いくつかの方法を通じて受信され得る。ＡＮＤＳＦがない場合、利用可能な複数のネットワークのリストは、ＲＡＮによってブロードキャストされ得る。ＡＮＤＳＦがある場合、ＵＥは、利用可能な複数のネットワークのリストをリクエストし得る。ＡＮＤＳＦがある場合、（他の複数のＡＮＤＳＦポリシーと共に）そのリストは、また、ＡＮＤＳＦサーバによってＵＥにプッシュされ得る。
【００１９】
他の実施形態において、ＵＥ１０２は、ＷＬＡＮ  ＡＰ１０６によって提供されるＷＬＡＮカバレッジ１１０内にある。ＵＥ１０２は、サービスがアクセスリンクＢ１１４を介してＷＬＡＮ  ＡＰ１０６によって十分に提供され得ないことを決定する。オフロード構成データを用いて、ＵＥ１０２は、少なくともそのサービスが他のコネクションにオフロードされ得ることを決定する。ＬＴＥを介するトラフィックがない場合でさえ、ＵＥは、ＬＴＥにキャンプされる状態を保持し得る（例えば、ＵＥは、この時点で３ＧＰＰセル選択を実行しない）。ＵＥ１０２は、複数のルールのセットに基づいて、利用可能な複数のネットワークを評価する。複数のルールに基づいて、ＵＥ１０２は、少なくともいくつかのトラフィックをアクセスリンクＡ１１２を介してステアすることを決定する。
【００２０】
一実施形態において、ＵＥ１０２は、セルタワー１０４によって提供されるマクロセル内にある。ＵＥ１０２は、サービスがアクセスリンクＡ１１２を介してセルタワー１０４によって十分に提供され得ないことを決定する。オフロード構成データを用いて、ＵＥ１０２は、少なくともそのサービスが他のコネクションにオフロードされ得ることを決定する。ＵＥ１０２は、ＷＬＡＮ  ＡＰ１０６によって提供されるＷＬＡＮネットワーク等の利用可能な複数のネットワークの記述を取得する。ＵＥ１０２は、複数のルールのセットに基づいて、利用可能な複数のネットワークを評価する。複数のルールに基づいて、ＵＥ１０２は、ＷＬＡＮ  ＡＰ１０６又は他の利用可能なネットワークに接続せず、トラフィックをオフロードしないことを決定する。
【００２１】
ネットワークインフラストラクチャへのバックホールコネクションが有線コネクションに限られないことが認識されるべきである。バックホールは、ＵＥのアクセスリンクの受信機（例えば、セルタワー１０４又はＷＬＡＮ  ＡＰ１０６）からネットワークインフラストラクチャ１１６までの、リレー、ポイントツーポイントワイヤレス、有線コネクション、フロントホールコネクション、及び他のコネクションを含み得る。
【００２２】
他のワイヤレス無線アクセス技術（ＲＡＴ）及びワイヤレスコネクションがまた用いられ得る。これらのＲＡＴは、グローバル・システム・フォー・モバイル・コミュニケーションズ（ＧＳＭ（登録商標））ネットワーク、汎用パケット無線サービス（ＧＰＲＳ）ネットワーク、ＧＳＭ（登録商標）進化型高速データレート（ＥＤＧＥ）ネットワーク、３ＧＰＰ  ＬＴＥネットワーク、ＩＥＥＥ８０２．１１（Ｗｉ−Ｆｉ）、及びＩＥＥＥ８０２．１６（ワールドワイド・インターオペラビリティ・フォー・マイクロウェーブ・アクセス（ＷｉＭＡＸ））を含み得る。
【００２３】
図２は、ユーザ機器（ＵＥ）及びワイヤレスローカルエリアネットワーク（ＷＬＡＮ）アクセスポイント（ＡＰ）の例を示す概略図である。複数のＵＥは、セルタワー１０４に接続され、ＵＥ１０２を含み得る。セルタワー１０４は、ネットワークインフラストラクチャ１１６に接続される。ＵＥ１０２は、また、利用可能な複数のネットワーク２０４、２０６、及び２０８に接続し得る。示される実施形態において、ＷｉＭＡＸ基地局２０８は、ネットワークインフラストラクチャ１１６へのバックホールを有するＷＬＡＮ  ＡＰ２０４にリレーするＷＬＡＮ  ＡＰ２０６にリレーする。
【００２４】
一実施形態において、ＵＥ１０２は、セルタワー１０４に接続され、内部に格納される複数のＲＡＮルール２１１を有する。複数の他のＵＥ２０２は、また、セルタワー１０４に接続される。ＵＥ１０２は、ネットワークインフラストラクチャ及び／又はセルタワー１０４から、複数のＡＮＤＳＦルール２１０及び複数の閾値２１２を含む構成データを受信し得る。ＵＥ１０２は、また、ネットワークインフラストラクチャ及び／又はセルタワー１０４の複数の測定２１４ａを実行し得る。この構成データを用いて、ＵＥ１０２は、トラフィックオフロードを試みるためのルール又は複数のルール（２１０及び／又は２１１）が満たされることを決定し得る。ＵＥは、ネットワークインフラストラクチャ１１６からの利用可能なネットワーク２０４、２０６、及び２０８についての情報を測定し得る。ＵＥは、ネットワークインフラストラクチャ及び／又はセルタワー１０４から、利用可能なネットワーク２０４、２０６、及び２０８についての情報、並びに追加の複数のルール２１０（ＡＮＤＳＦの援助により）、複数の閾値２１２、及び複数の測定結果２１４ａを受信し得る。ＵＥ１０２は、また、利用可能なネットワーク２０４、２０６、及び２０８から、複数の測定結果２１４ｂ、２１４ｃ、及び２１４ｄを（直接的に又は間接的に）受信し得る。複数のルール２１０を含み得る複数のルール、及び複数の測定結果２１４ａ、２１４ｂ、２１４ｃ、及び２１４ｄを用いて、ＵＥ１０２は、トラフィックオフロードのための１又は複数のネットワークを決定し得る。示される実施形態において、ＵＥ１０２は、ＷＬＡＮ  ＡＰ２０４に接続し、トラフィックをオフロードすることを決定する（実線で示される）。ＵＥ１０２は、また、セルタワー１０４とのアクセスリンクＡ１１２を保持する。
【００２５】
トラフィックムーブ、ステア、又はオフロードが言及されるときに、それが明瞭さのためであることが認識されるべきである。しかし、実施形態は、適切なときには、そのムーブ、ステア、又はオフロードの何れかを用いるように修正され得る。
【００２６】
一実施形態において、ＲＡＮ（例えば、セルタワー１０４及びネットワークインフラストラクチャ１１６によって表される）は、ＲＲＣを介して補助情報（例えば、複数の閾値）を送信する。複数の閾値は、ＬＴＥ／ＵＭＴＳ（ユニバーサルモバイルテレコミュニケーションシステム）及びＷＬＡＮ閾値を含み得る。ＵＥ１０２は、ＬＴＥ／ＵＭＴＳ及びＷＬＡＮ  ＡＰに対する実際の複数の測定結果を取得する（例えば、ＵＥ１０２は、ＬＴＥ／ＵＭＴＳ及びＷＬＡＮネットワークに対する複数の特定の値を測定する）。そして、ＵＥ１０２は、取得された複数の測定結果を受信された複数の閾値と比較する。そして、ＵＥ１０２は、トラフィックをオフロードするか、又は現在のＲＡＮとの状態を保持するかを決定し得る。
【００２７】
補助情報は、ＲＡＮから来る複数の閾値、及びＵＥ１０２によって測定された複数のパラメータを含み得る。複数のＲＡＮルールは、次の３ＧＰＰ技術仕様書（ＴＳ）：３６．３０４及び２５．３０４で定義される。
【００２８】
ＵＥは、複数のネットワーク機能を特定し、そして、特定された複数の機能を用いて動作するように構成され得る。図３−６は、複数のネットワーク機能に依存する（例えば、セルラーからＷＬＡＮへ、及びＷＬＡＮからセルラーへの）トラフィックムーブ／ステア／オフロードの方法を示す。図３は、トラフィックオフロードの簡略化された方法を示す。図４は、ＲＲＣを用いるトラフィックオフロードの方法を示す。図５は、レガシーＡＮＤＳＦを用いるトラフィックオフロードの方法を示す。図６は、強化されたＡＮＤＳＦを用いるトラフィックオフロードの方法を示す。ＵＥは、これらの特定された複数のネットワーク内で特定し、そして、動作するように構成され得る。
【００２９】
図３は、第１のネットワークと第２のネットワークとの間でトラフィックをムーブ／ステア／オフロードすることのプロセス３００を示す。方法は、ＵＥ１０２、セルタワー１０４、ネットワークインフラストラクチャ１１６、及びＷＬＡＮ  ＡＰ１０６によって、図１及び２に示されるシステム１００又はシステム２００によって実現され得る。ブロック３０２において、ＵＥは、オフロード構成データを取得する。ブロック３０４において、ＵＥは、利用可能な複数のネットワークの記述を取得する。ブロック３０６において、ＵＥは、複数のルールに基づいて、利用可能な複数のネットワークを評価する。ブロック３０８において、ＵＥは、どのコネクションを１又は複数の利用可能なネットワークにルーティングするかを決定するために、複数のルールの結果を用いる。
【００３０】
オフロード構成データは、静的又は動的であり得る。いくつかの実施形態において、オフロード構成は、静的にＵＥに格納される。他の実施形態において、オフロード構成データは、ＵＥに格納されるが、周期的にネットワークインフラストラクチャメッセージ（例えば、ＯＭＡ  ＤＭ）によって更新される。一実施形態において、ＵＥは、デマンドで、ネットワークインフラストラクチャからの更新されたオフロード構成データをリクエストする。
【００３１】
図４は、第１のネットワークと第２のネットワークとの間でトラフィックをムーブ／ステア／オフロードすることのプロセス４００を示す。方法は、ＵＥ１０２、セルタワー１０４、ネットワークインフラストラクチャ１１６、及びＷＬＡＮ  ＡＰ１０６によって、図１及び２に示されるシステム１００又はシステム２００によって実現され得る。示される実施形態において、オペレータは、ＡＮＤＳＦを配備しない。一実施形態において、方法は、ベアラ毎のトラフィックステアをサポートしない。ブロック４０２において、ＵＥは、ＲＲＣシグナリング情報からオフロード構成データを受信する。ブロック４０４において、ＵＥは、利用可能な複数のネットワークからの複数のＷＬＡＮ識別子を決定する。ブロック４０６において、ＵＥは、信号、負荷、及び品質情報等のＷＬＡＮ情報を取得する。ブロック４０８において、ＵＥは、オフロード構成情報、ＷＬＡＮ情報、及び／又はＲＡＮ情報を考慮して、複数のＲＡＮルールを評価する。ブロック４１０において、評価の結果がＷＬＡＮに接続することである場合、ブロック４１２において、ＵＥは、どのＰＤＮコネクションをオフロードするかを決定する。そして、ブロック４１４において、ＵＥは、ＷＬＡＮに接続し、決定された複数のＰＤＮコネクションをオフロードし得る。何れの場合においても、ブロック４１６において、ＵＥは、現在のネットワークとの残りのコネクションをそのままにする。
【００３２】
一実施形態において、ＵＥは、ＡＰＮ（アクセスポイント名）を基礎として動作する。ＷＬＡＮにオフロードされるべきでない複数のＡＰＮ、例えば、ＩＭＳ  ＡＰＮ（ＩＰマルチメディアシステムアクセスポイント名）は、３ＧＰＰネットワークに常に留まるように構成されてよい。どのＡＰＮ／ＰＤＮコネクションがＷＬＡＮにオフロードされてよいかについての情報は、ＵＥにおいて事前に設定されてよく、強化されたＡＰＮ構成の一部として、又はいくつかの他の手段を介して提供される。ＵＥがＷＬＡＮにオフロードすることを決定するとき、それは、オフロードされることが決定された全てのＡＰＮコネクションからＷＬＡＮに全てのベアラを移動する。同様のプロセスが複数のＰＤＮコネクションに対して実装され得る。
【００３３】
例えば、ＵＥは、ブロードキャスト又はユニキャストＲＲＣシグナリングを介して、ＷＬＡＮオフロードに関連するＲＡＮ情報（例えば、負荷、例えば、オフロードプレファレンスインジケータを反映する３ＧＰＰ負荷又は他のパラメータ）、３ＧＰＰ信号強度閾値（例えば、ＲＳＲＰ閾値）、及び複数のＷＬＡＮ閾値（例えば、ＲＳＮＩ、ＲＣＰＩ、及びＢＳＳ負荷閾値）を取得する。
【００３４】
そして、ＵＥは、任意に、ＲＡＮ情報のみに基づいて、複数のＲＡＮルールを評価し、複数のルールがＷＬＡＮへのオフロードを許可する場合にのみ、（ＲＡＮ及びＷＬＡＮ情報に基づく複数のルールが評価される）次の段階に進んでよい。代替的に、ＵＥは、ＲＡＮ及びＷＬＡＮ情報を取得し、全ての情報が利用可能であるときにのみ、複数のルールを評価してよい。ＵＥは、ＷＬＡＮへのオフロードが有益か否かを決定するために、（ＲＡＮ仕様書において定義される）複数のＲＡＮルールを評価してよい。複数のＲＡＮルールは、例えば、次の形式であってよい。
Offload to WLAN if: (RSNI > RSNI threshold 1) && (RSRP < RSRP threshold 1)
Stay on 3GPP if: (RSNI <= RSNI threshold 2) || (RSRP >= RSRP threshold 2)
【００３５】
複数のルールがＵＥにそれが現在用いているネットワークに留まることを示す場合、それはそうし、そうでなければ、ＵＥは、次の動作に進む。異なる複数の閾値は、複数のネットワーク（例えば、ＲＳＲＰ閾値１及びＲＳＲＰ閾値２）の間でのＵＥのピンポン（ｐｉｎｇ−ｐｏｎｇ）を防止するために、異なる方向で用いられ得る。
【００３６】
ＵＥは、それがアクセスし得る複数のＷＬＡＮネットワークについての情報を取得し得る（すなわち、ＵＥが複数のＷＬＡＮ識別子のリストを取得し得る）。このリストは、「標準化接続管理オブジェクト，ＷＬＡＮパラメータ；ＯＭＡデバイス管理での使用のため；承認済みバージョン１．０−２００８年１０月２４日；OMADDSDM_ConnMO_WLANVl_020081024A」において定義されるようなＯＭＡ  ＤＭ、又はブロードキャスト又はユニキャストＲＲＣシグナリングを介して提供され得る。このリストは、また、ＡＮＤＳＦを介して提供され得る。ここで、ＵＥが、この動作において又は前もって（例えば、システムがＯＭＡ  ＤＭを用いるときに）、複数のＷＬＡＮ識別子のリストを取得してよいことに留意すべきである。
【００３７】
一旦、ＵＥが複数のＷＬＡＮ識別子のリストを取得すると、それは、それが用い得る（すなわち、複数のネットワークがこのリスト上にある）複数のＷＬＡＮネットワークからのＷＬＡＮ情報（例えば、Ｗｉ−Ｆｉアライアンス（ＷＦＡ）によってホットスポット２．０（ＨＳ２．０）において定義されるようなＲＳＮＩ、ＲＣＰＩ、ＢＳＳ負荷、及び／又は複数のＷＡＮメトリック）を取得する。一旦、ＵＥがＷＬＡＮ及びＲＡＮ情報を取得すると、それは、それが現在用いている３ＧＰＰネットワークに対する及びＵＥが見つけ得る（前に取得されたリストの中からの）全てのＷＬＡＮネットワークに対する（ＲＡＮ仕様書において定義される）複数のＲＡＮルールを評価する。複数のＲＡＮルールは、例えば、次の形式であってよい。
Offload to WLAN if: (OPI > OPI threshold) && (RSRP < RSRP threshold) && (bss load < bss load threshold) && (RSSI > RSSI threshold)
Stay on 3GPP if: (OPI <= OPI threshold) || (RSRP >= RSRP threshold) || (bss load >= bss load threshold) || (RSSI <= RSSI threshold)
【００３８】
これらルールに基づいて、ＵＥは、両方を用い得る全てのＰＤＮコネクションに対して、３ＧＰＰ又は複数のＷＬＡＮネットワークを用いるか否か、及び（ＷＬＡＮが選択される場合）どのＷＬＡＮ  ＡＰに接続するかを決定する。複数のルールがＵＥにＷＬＡＮを用いることを示す場合、ＷＬＡＮを用い得る全てのＰＤＮコネクションの全てのベアラは、ＷＬＡＮに移動される。ＵＥは、複数のＷＬＡＮコネクションを確立し、ＥＵＴＲＡＮ／ＵＴＲＡＮからこれらのコネクションをリリースするために、ＳａＭＯＧ２（リリース１２ＳａＭＯＧ）ＷＩの一部として定義されるＷＬＣＰ（ＷＬＡＮリンク制御プロトコル）を用いてよい。その選択基準を満たす複数のＷＬＡＮネットワークがある場合、それは、どのネットワークを用いるかを決定することはＵＥ実装に委ねられる。例えば、ＵＥは、複数のＲＡＮルールをまた満たす複数のＡＰの中から、（いくつかの基準に従う）最も高いＱｏＳを提供するＷＬＡＮ  ＡＰを選択することを決定する。
【００３９】
安定した状態の動作において、ＵＥは、ＵＥ実装に委ねられる周期で、３ＧＰＰ及びＷＬＡＮパラメータを取得し、複数のＲＡＮルールを再評価し続ける。例えば、複数のＲＡＮルールの再評価は、ＲＡＴ間モビリティシグナリングに関連するレイテンシ、又は補助情報がネットワーク内で更新される頻度等のいくつかの検討事項に基づき得る。全てのベアラがＷＬＡＮに移動される場合、ＵＥは、ＬＴＥからデタッチされてよい。その場合、ＵＥは、ＵＴＲＡにキャンプすることが期待され、ＵＴＲＡＮからのＷＬＡＮ補助情報を取得してよい。
【００４０】
図５は、第１のネットワークと第２のネットワークとの間でトラフィックをムーブ／ステア／オフロードすることのプロセス５００を示す。方法は、ＵＥ１０２、セルタワー１０４、ネットワークインフラストラクチャ１１６、及びＷＬＡＮ  ＡＰ１０６によって、図１及び２に示されるシステム１００又はシステム２００によって実現され得る。いくつかの実施形態において、ネットワークインフラストラクチャのオペレータは、複数のＲＡＮパラメータで強化されないリリース１２（又はそれより早い）ＡＮＤＳＦを配備する。ブロック５０２において、ＵＥは、オフロード構成データを取得する。ブロック５０４において、ＵＥは、ネットワークインフラストラクチャからの複数のＡＮＤＳＦルールを取得する。ブロック５０６において、ＵＥは、複数のアクセスネットワークのセットを決定するために、複数のＲＡＮ及び／又はＡＮＤＳＦルールを評価する。ブロック５０８において、ＵＥは、ＵＥのために利用可能である（例えば、ＵＥの範囲における）複数のネットワークからの利用可能な複数のアクセスネットワーク識別子を取得する。ブロック５１０において、ＵＥは、利用可能な複数のアクセスネットワーク識別子についての利用可能なアクセスネットワーク情報（例えば、負荷、強度、及び品質情報）を取得する。ブロック５１１において、ＵＥは、利用可能なアクセスネットワーク情報を考慮して、複数のオフロードルールを評価する。ブロック５１１における評価の結果に基づいて、ブロック５１２において、ＵＥは、異なるネットワークに接続するか否かを決定する。その場合、ブロック５１４において、ＵＥは、どのＰＤＮコネクション（又は、オフロードの粒度に依存して、ＩＰフロー）を異なるネットワークにオフロードするかを決定する。ブロック５１６において、ＵＥは、異なるネットワークに接続し、決定された複数のＰＤＮコネクションをオフロードする。そして、ブロック５１８において、ＵＥが異なるネットワークに接続するか否かに関わらず、ＵＥは、現在のネットワークとの残りのコネクションをそのままにする。
【００４１】
例えば、図４と同様に、初期の動作は、任意に実行されてよい。ＵＥは、ブロードキャスト又はユニキャストＲＲＣシグナリングを介して、ＷＬＡＮオフロードに関連するＲＡＮ情報（例えば、負荷を反映する３ＧＰＰ負荷又は他のパラメータ）、３ＧＰＰ信号強度閾値（例えば、ＲＳＲＰ閾値）、及び複数のＷＬＡＮ閾値（例えば、ＲＳＳＩ及びＢＳＳ負荷閾値）を取得する。
【００４２】
そして、ＵＥは、任意に、ＲＡＮ情報のみに基づいて、複数のＲＡＮルールを評価し、複数のルールがＷＬＡＮへのオフロードを許可する場合にのみ、（ＲＡＮ及びＷＬＡＮ情報に基づく複数のルールが評価される）次の段階に進んでよい。代替的に、ＵＥは、ＲＡＮ及びＷＬＡＮ情報を取得し、全ての情報が利用可能であるときにのみ、複数のルールを評価してよい。ＵＥは、ＷＬＡＮへのオフロードが有益か否かを決定するために、（ＲＡＮ仕様書において定義される）複数のＲＡＮルールを評価してよい。評価が確実な（例えば、ＵＥが良好なＬＴＥカバレッジにいて、ＬＴＥ負荷が非常に低いとき等の、複数のルールが、ＵＥがＷＬＡＮを用いないことを示す）場合、ＵＥのプロセスは、（電力を節約する等のために）さらなる処理を停止してよい。
【００４３】
一実施形態において、ＡＮＤＳＦは、同一のＵＥにおいて、複数のＲＡＮルールと共に用いられる。ＵＥは、ＲＡＮ補助情報（そのような情報が既に前に取得されていない場合）及びＷＬＡＮ補助情報を取得し得る。ＵＥは、オペレータプレファレンスに基づいて、複数のＡＮＤＳＦ及び／又はＲＡＮルールを選択し、評価する。
【００４４】
他の実施形態において、ＵＥは、（既に利用可能でない場合）複数のＡＮＤＳＦルールを取得し、それらを評価する。この評価の出力として、ＵＥは、それが用い得る複数のアクセスネットワーク（３ＧＰＰ及びＷＬＡＮ）のリスト（ＩＳＲＰ及びＩＳＭＰルールを含む）を得る。
【００４５】
実施形態において、ＵＥは、ＲＡＮ補助情報（そのような情報が既に前に取得されていない場合）及びＷＬＡＮ補助情報を取得し得る。そして、ＵＥは、図４で説明されたものと同一の態様で、複数のＲＡＮルールを評価する。
【００４６】
この評価の結果として、ＵＥは、複数のＡＮＤＳＦルールの評価によって生成されたリストから、複数の特定の（３ＧＰＰ及びＷＬＡＮ）アクセスネットワークを除去してよい。その後、ＵＥは、対応するＳＡ２及びＣＴ１仕様書（Ｓ２ａ、Ｓ２ｂ、及びＳ２ｃインターフェース参照）において定義されるようなそのリストに残る複数のネットワークを用いて（ＩＳＲＰ又はＩＳＭＰルールの何れかに従って）進める。ＵＥは、複数のＷＬＡＮコネクションを確立し、ＥＵＴＲＡＮ／ＵＴＲＡＮからこれらコネクションをリリースするために、ＳａＭＯＧ２（リリース１２ＳａＭＯＧ）ＷＩの一部として定義されるＷＬＣＰ（ＷＬＡＮリンク制御プロトコル）を用いてよい。
【００４７】
図６は、第１のネットワークと第２のネットワークとの間でトラフィックをムーブ／ステア／オフロードすることのプロセス６００を示す。方法は、ＵＥ１０２、セルタワー１０４、ネットワークインフラストラクチャ１１６、及びＷＬＡＮ  ＡＰ１０６によって、図１及び２に示されるシステム１００又はシステム２００によって実現され得る。いくつかの実施形態において、ネットワークインフラストラクチャのオペレータは、複数のＲＡＮパラメータで強化されるＡＮＤＳＦを配備する。ブロック６０２において、ＵＥは、オフロード構成データを取得する。ブロック６０４において、ＵＥは、利用可能な複数のＷＬＡＮ  ＡＰを記述する複数のＷＬＡＮ識別子を受信する。ブロック６０６において、ＵＥは、複数のＷＬＡＮ  ＡＰについてのＷＬＡＮ情報を決定する。ブロック６０８において、ＵＥは、複数のネットワークプロバイダルール（例えば、強化されたＡＮＤＳＦ）を受信する。ブロック６１０において、ＵＥは、取得された情報を考慮して、複数のネットワークプロバイダルールを評価する。ブロック６１２において、ＵＥは、使用のために利用可能である（複数のＷＬＡＮ  ＡＰを含み得る）複数のアクセスネットワークのセットを決定する。ブロック６１４において、ＵＥがＷＬＡＮ  ＡＰ（又は他のＲＡＮ）に接続することを決定する場合、ブロック６１６において、ＵＥは、どのＰＤＮコネクション又はＩＰフローをオフロードするかを決定し得る。ブロック６１８において、ＵＥは、ＷＬＡＮ  ＡＰに接続し、決定された複数のＰＤＮコネクションをオフロードし得る。何れの場合においても、ブロック６２０において、ＵＥは、現在のネットワークとの残りのコネクションをそのままにする。
【００４８】
例えば、ＵＥは、図４及び５に関連して説明されたようなＲＡＮ及びＷＬＡＮ補助情報を取得し得る。そして、ＵＥは、ＲＡＮ及びＷＬＡＮ補助情報を利用するために強化された複数のＡＮＤＳＦルールを評価する。複数の強化されたＡＮＤＳＦルールは、複数のノードに依存するように定義され得る。複数のＷＬＡＮ関連ＡＮＤＳＦノードは、複数のＷＬＡＮパラメータ（例えば、「最大ＢＳＳ負荷」、「最小ＲＳＳＩ」等）に対する複数のサブノードを有してよい。複数の３ＧＰＰ関連ＡＮＤＳＦノードは、複数のＲＡＮパラメータ（例えば、「最大負荷」、「最小ＲＳＲＰ」等）に対する複数のサブノードを有してよい。これらのルールに対する複数の閾値は、ＡＮＤＳＦを介して最初に提供され得る。複数の信号強度値（ＲＳＳＩ、ＲＳＲＰ等）は、ＵＥによって測定され得る。複数の負荷値（セルラー負荷、ＢＳＳ負荷）は、ネットワーク（ＲＡＮ又はＷＬＡＮ）によって提供され得る。
【００４９】
さらに、いくつかの実施形態において、ＲＡＮは、ＲＲＣシグナリングを介して、複数の信号強度（ＲＳＲＰ、ＲＳＮＩ等）閾値をオーバーライドしてよい。ＲＡＮがこれらの閾値を提供する場合、ＵＥは、全てのＡＮＤＳＦルールにおいて、それらを置き換える。
【００５０】
そして、ＵＥは、対応するＳＡ２及びＣＴ１仕様書（Ｓ２ａ、Ｓ２ｂ、及びＳ２ｃインターフェース参照）において定義されるようなＩＳＲＰ又はＩＳＭＰルールに従って処理し得る。ＵＥは、複数のＷＬＡＮコネクションを確立し、ＥＵＴＲＡＮ／ＵＴＲＡＮからこれらコネクションをリリースするために、ＳａＭＯＧ２（リリース１２ＳａＭＯＧ）ＷＩの一部として定義されるＷＬＣＰ（ＷＬＡＮリンク制御プロトコル）を用いてよい。
【００５１】
ここで説明される様々な実施形態は、また、既存のワイヤレスシステム（例えば、ＲＡＴ、ＲＡＮ、ＵＴＲＡＮ、ＥＵＴＲＡＮ等）に対して新しい機能性を拡張、更新、使用、及び／又は提供するために用いられ得る。図７において、ＵＥのための強化されたＬＴＥプロトコルスタック１０００の例が示される。プロトコルスタック７００は、複数のスモールセルに接続している状態での使用のための新しい複数のメッセージ７１６及び複数の測定結果７１８で強化され得る。
【００５２】
スタックは、強化されたＬＴＥプロトコルスタック７００における複数のプロトコルレイヤを記述する。これらのレイヤは、（ページの底部により近いレイヤとして表される）より低いレイヤからの抽象化を提供し得る。物理レイヤ（Ｌ１）７１４は、より高いレイヤによる使用のために物理信号を論理データに変換する複数のシステムを含む。Ｌ１は、また、測定及び構成サービスを無線リソース制御（ＲＲＣ）レイヤ７０６に提供し得る。媒体アクセス制御（ＭＡＣ）レイヤ７１２は、論理マッピング及び／又はスケジューリングとしてトランスポートを実行する複数のシステムを含む。ＭＡＣレイヤ７１２は、ネットワークについての複数の測定結果及びフォーマット選択をＲＲＣレイヤ７０６に提供し得る複数のシステムを含む。無線リンク制御（ＲＬＣ）レイヤ７１０は、セグメンテーション、コンカチネーション、及びリアセンブルを提供する複数のシステムを含み、無線ベアラに依存する異なる複数のモードにおいて動作できる。パケットデータコンバージェンスプロトコル（ＰＤＣＰ）レイヤ７０８は、暗号関数、ヘッダ圧縮／解凍、シーケンスナンバリング、及び／又は重複の除去を含むより高いレベルの複数のプロトコルに対する複数のサービスを提供し得る複数のシステムを含む。ユーザトラフィックは、ＰＤＣＰレイヤ７０８を通じてインターネットプロトコル（ＩＰ）レイヤ７０４に送信され得、そして、使用のためにＵＥの複数のアプリケーション及び複数のシステムにルーティングされる。制御トラフィックは、ＲＲＣレイヤ７０６に送信され得る。ＲＲＣレイヤ７０６は、ＵＥの管理及び制御機能を提供し得る。ＲＲＣレイヤ７０６の機能性は、ブロードキャスト情報、ページング、ｅＮＢとのコネクション管理、ＲＲＣメッセージの完全性保護、無線ベアラ制御、モビリティ機能、ＵＥ測定及びレポート、サービス品質管理等の処理を含み得る。非アクセス層（ＮＡＳ）レイヤ７０２は、モビリティ管理、呼制御、セッション管理、及び／又は識別子管理を提供し得る複数のシステムを含む。
【００５３】
ＲＲＣレイヤ７０６及びＮＡＳレイヤ７０２は、複数のメッセージでさらに強化され得る。複数のメッセージは、複数のインジケータ、複数の閾値、及び複数のルールを含み得る。複数のインジケータは、オフロードプレファレンスインジケータ（ＯＰＩ）、基準信号受信電力（ＲＳＲＰ）閾値、基準信号受信品質（ＲＳＲＱ）閾値、受信チャネル電力インジケータ（ＲＣＰＩ）閾値、受信信号雑音インジケータ（ＲＳＮＩ）閾値、基本サービスセット（ＢＳＳ）負荷閾値、及びバックホールレート閾値を含み得る。複数の閾値及び／又は複数のインジケータは、静的（例えば、静的にＵＥに格納される）又は動的（例えば、ネットワークから受信される）であり得る。複数のルールは、無線アクセスネットワーク（ＲＡＮ）ルール、アクセスネットワーク発見及び選択機能（ＡＮＤＳＦ）ルール、システム間モビリティポリシー（ＩＳＭＰ）、システム間ルーティングポリシー（ＩＳＲＰ）、及びＡＰＮ間ルーティングポリシー（ＩＡＲＰ）を含み得る。
【００５４】
物理レイヤは、ＵＥの複数のレイヤ（例えば、ＲＲＣレイヤを含むＬ２レイヤ）に提供するための複数の測定結果で強化され得る。複数の測定結果は、ＲＣＰＩ、ＲＳＮＩ、ＲＳＲＰ、ＲＳＲＱ、ＲＳＳＩ（受信信号強度インジケータ）、ＳＩＮＲ（信号対干渉雑音比）、ＣＱＩ（チャネル品質情報）、ＲＳＣＰ、ＣＰＩＣＨ  ＲＳＣＰ（共通パイロットチャネル受信信号コード電力）、及びＣＰＩＣＨ  Ｅｃ／Ｎｏ（総雑音電力密度分のチップ毎の共通パイロットチャネル受信エネルギー）を含み得る。
【００５５】
オフロード構成は、ＲＲＣを介してＵＥによって受信される複数の閾値を含み得る。これらは、複数のパラメータ（ＬＴＥのためのＲＳＲＰ閾値）、（ＬＴＥのための）ＲＳＲＱ閾値、（ＵＭＴＳのための）ＣＰＩＣＨ  ＲＳＣＰ閾値、（ＵＭＴＳのための）ＣＰＩＣＨ  Ｅｃ／Ｎｏ閾値、（ＬＴＥ又はＵＭＴＳのための）ＯＰＩ、（ＷＬＡＮのための）ＲＣＰＩ閾値、（ＷＬＡＮのための）ＲＳＮＩ閾値、（ＷＬＡＮ）ＢＳＳ負荷閾値、及び（ＷＬＡＮのための）バックホールレート閾値を含む。ＬＴＥ／ＵＭＴＳ（セルラー）情報は、ＵＥによって生成された複数の測定結果、例えば、ＵＥがＲＳＲＰ閾値と比較し得るＲＳＲＰ測定結果を含み得る。ＷＬＡＮ情報は、ＵＥがＢＳＳ負荷閾値と比較し得るＢＳＳ負荷を含み得る。
【００５６】
いくつかの実施形態において、オフロードプレファレンスインジケータ（ＯＰＩ）は、負荷測定結果に代えて用いられ得る。
【００５７】
ＲＲＣが上で言及されるが、それは多くの可能な実装の選択肢のうちの１つにすぎない。他の複数の選択肢は、第２のプロトコルレイヤ又はアクセス層レイヤの他の複数のセクションを含む（ＲＲＣ、ＰＤＣＰ、ＲＬＣ、及びＭＡＣを含む）。
【００５８】
ＵＥに提供される複数のポリシーは、ＲＡＮ補助情報を有することによって強化され得る。例えば、ポリシーは、複数の候補の情報を同時に含んでよい。そのようなポリシーの例は、ＷＬＡＮオフロード環境に対する３ＧＰＰを含み得る。ＲＡＮ  ＲＳＲＰが閾値Ｓより小さく、ＲＡＮ負荷が閾値Ｘより大きい場合、及びＷＬＡＮ  ＲＳＳＩが閾値Ｒより大きく、ＷＬＡＮ  ＢＳＳ負荷が閾値Ｙより小さい場合、フローをＷＬＡＮに移動する。
【００５９】
３ＧＰＰポリシーに対するＷＬＡＮの例は、次を含む。ＲＡＮ  ＲＳＲＰが閾値Ｓ'より大きく、ＲＡＮ負荷が閾値Ｘ'より小さい場合、及びＷＬＡＮ  ＲＳＳＩが閾値Ｒ'より小さく、ＷＬＡＮ  ＢＳＳ負荷が閾値Ｙ'より大きい場合、次に、フローをＵＭＴＳ／ＬＴＥに移動する。
【００６０】
実施形態において、このポリシーは、（ＩＳＲＰと同様の）新ポリシー構造で実現され得る。複数の閾値（例えば、ＲＡＮ  ＲＳＲＰ／ＲＳＣＰ閾値））の値は、ＲＡＮによって提供され、ＡＮＤＳＦポリシーにおいて用いられ得る。そうでなければ、複数の閾値は、また、ＡＮＤＳＦそれ自体によって提供されてよい。ＵＥに固有の複数のポリシーは、ＵＥサブスクリプションに基づいて構成され、又は事前に設定され得る。任意に、トラフィックステアに対するＵＥ毎の制御は、接続モード中に専用のシグナリングを用いて達成され得る。例えば、ＲＡＮは、接続モードにある異なる複数のＵＥに、上記の複数のパラメータの異なる複数の値を送信してよい。対象のＷＬＡＮシステム（例えば、ＳＳＩＤ又はレルム（ｒｅａｌｍ））に固有の複数のポリシーは、構成され、又は事前に設定され得る。複数のポリシー及びネットワーク補助情報は、また、いくつかのフローをＷＬＡＮに、いくつかを３ＧＰＰにルーティングするために用いられ得る。
【００６１】
メカニズムは、（ヒステリシス、ランダム化、ＷＬＡＮから３ＧＰＰへのネットワーク選択とは異なる３ＧＰＰからＷＬＡＮへのための複数の閾値、又はＵＥベースの決定に適用されてよいユーザ毎のサブスクリプションレベルに関する複数の閾値を含む）同時の大量のアクセスネットワーク選択／トラフィックステア及びピンポン（ｐｉｎｇ−ｐｏｎｇ）イベントを回避するために用いられ得る。
【００６２】
図８は、ＵＥ、移動局（ＭＳ)、モバイルワイヤレスデバイス、モバイル通信デバイス、タブレット、ハンドセット、又は他のタイプのモバイルワイヤレスデバイス等のモバイルデバイスの例示である。モバイルデバイスは、基地局（ＢＳ）、ｅＮＢ、ベースバンドユニット（ＢＢＵ）、遠隔無線ヘッド（ＲＲＨ）、遠隔無線機器（ＲＲＥ）、中継局（ＲＳ）、無線機器（ＲＥ）、又は他のタイプのワイヤレスワイドエリアネットワーク（ＷＷＡＮ）アクセスポイント等の伝送局と通信するように構成される１又は複数のアンテナを含み得る。  モバイルデバイスは、３ＧＰＰ  ＬＴＥ、ＷｉＭＡＸ、ＨＳＰＡ、Ｂｌｕｅｔｏｏｔｈ（登録商標）、及びＷｉ−Ｆｉを含む少なくとも１つのワイヤレス通信規格を用いて通信するように構成され得る。モバイルデバイスは、各ワイヤレス通信規格のための別個の複数のアンテナ、又は複数のワイヤレス通信規格のための共有の複数のアンテナを用いて通信し得る。モバイルデバイスは、ＷＬＡＮ、ワイヤレスパーソナルエリアネットワーク（ＷＰＡＮ）、及び／又はＷＷＡＮにおいて通信し得る。
【００６３】
図８は、また、モバイルデバイスからのオーディオ入力及び出力に用いられ得るマイク及び１又は複数のスピーカの例示を提供する。ディスプレイスクリーンは、液晶ディスプレイ（ＬＣＤ）スクリーン、又は有機発光ダイオード（ＯＬＥＤ）ディスプレイ等の他のタイプのディスプレイスクリーンであってよい。ディスプレイスクリーンは、タッチスクリーンとして構成され得る。タッチスクリーンは、静電容量方式、抵抗方式、又は他のタイプのタッチスクリーン技術を用いてよい。アプリケーションプロセッサ及びグラフィックスプロセッサは、処理及びディスプレイ機能を提供するために、内部メモリに結合され得る。不揮発性メモリポートは、また、ユーザにデータ入力／出力の選択肢を提供するために用いられ得る。不揮発性メモリポートは、また、モバイルデバイスのメモリ機能を拡張するために用いられてよい。キーボードは、追加のユーザ入力を提供するために、モバイルデバイスに統合され、又はモバイルデバイスにワイヤレスで接続されてよい。仮想キーボードは、また、タッチスクリーンを用いて提供されてよい。
【実施例】
【００６４】
本発明の実施形態は、いくつかのシナリオにおいて適用され得る。例えば、ＵＥは、ＵＴＲＡＮ／Ｅ−ＵＴＲＡＮカバレッジ内にあり、３ＧＰＰを用いており、ＷＬＡＮ  ＡＰカバレッジに入る。ＵＥは、ＵＴＲＡＮ／Ｅ−ＵＴＲＡＮ及びＷＬＡＮカバレッジ内にあり、ＷＬＡＮを用いており、ＷＬＡＮ  ＡＰカバレッジから出る。他の例において、ＵＥは、ＵＴＲＡＮ／Ｅ−ＵＴＲＡＮカバレッジ及びＷＬＡＮカバレッジの両方のカバレッジエリア内にあり、ＵＥは、ＷＬＡＮを用いており、ＵＥのトラフィックの全て又はサブセットは、代わりに、ＵＴＲＡＮ／Ｅ−ＵＴＲＡＮを介してルーティングされるべきである。一例において、ＵＥは、ＵＴＲＡＮ／Ｅ−ＵＴＲＡＮ及びＷＬＡＮの両方のカバレッジエリア内にあり、ＵＥは、ＵＴＲＡＮ／Ｅ−ＵＴＲＡＮを用いているが、ＵＥのトラフィックの全て又はサブセットは、代わりに、ＷＬＡＮを介してルーティングされるべきである。さらに他の例において、ＵＥは、ＵＴＲＡＮ／Ｅ−ＵＴＲＡＮ及びＷＬＡＮアクセスの両方を用いており、１つ（ＷＬＡＮ又はＵＴＲＡＮ／Ｅ−ＵＴＲＡＮ）のみに接続されるべきであり、又はいくつかのトラフィックは、他のアクセスに移動されるべきである。
【００６５】
３つの実施形態は、実施形態の態様の理解を助けるために、ＷＬＡＮ−ＲＡＮベースのシステムにおいて以下で説明される。これらの実施形態は、可能性がある実施形態を網羅するものでなく、３つの可能な実装の理解を助けるために用いられることが認識されるべきである。
【００６６】
第１の実施形態において、ＷＬＡＮ−ＵＴＲＡＮ／Ｅ−ＵＴＲＡＮ（ＵＴＲＡＮ／Ｅ−ＵＴＲＡＮは、また、本書類の残りの部分において「ＲＡＮ」と称される）アクセスネットワーク選択のための候補は、特定されている。ＲＡＮは、ブロードキャストシグナリング（及び任意に、専用のシグナリング）を通じて、ＲＡＮ補助情報をＵＥに提供する。ＵＥは、ＲＡＮ補助情報、ＷＬＡＮによって提供される情報及び複数のＵＥ閾値、及びトラフィックをＷＬＡＮに又はＲＡＮにステアするために、ＡＮＤＳＦを介して又は既存のＯＭＡ−ＤＭメカニズムを介して取得され、ＵＥに事前に構成される複数のポリシーを用いる。
【００６７】
本実施形態は、Ｅ−ＵＴＲＡＮに対するＲＲＣ  ＩＤＬＥ及びＲＲＣ  ＣＯＮＮＥＣＴＥＤ状態、ＵＴＲＡＮに対するＵＥ  ＩＤＬＥモード、ＵＴＲＡＮに対するＣＥＬＬ  ＤＣＨ、ＣＥＬＬ＿ＦＡＣＨ、ＣＥＬＬ＿ＰＣＨ、及びＵＲＡ＿ＰＣＨ状態にある複数のＵＥに適用可能であり得る。複数の補助パラメータは、負荷情報（例えば、百分率、負荷レベル（低、中、高）、又はオフロードプレファレンスインジケータによる、例えば、ＵＭＴＳ／ＬＴＥ負荷の直接／間接指標）、リソース割り当て（ＵＥがＵＭＴＳ／ＬＴＥ上で受信してよい最大リソース割り当て）、複数のＷＬＡＮ閾値（ＷＬＡＮ  ＲＳＮＩ閾値、ＷＬＡＮ  ＲＣＰＩ、ＷＬＡＮ  ＢＳＳ負荷閾値、及びＷＬＡＮ  ＷＡＮメトリック閾値）、及び／又は複数のＲＡＮ閾値（複数のＲＳＲＰ／ＲＳＣＰ閾値）を含み得る。
【００６８】
第２の実施形態において、複数のオフロードルールは、ＲＡＮ仕様書において記述される。ＲＡＮは、（専用及び／又はブロードキャストシグナリングを通じて）複数のルールにおいて用いられる複数の閾値を提供する。本実施形態は、Ｅ−ＵＴＲＡＮに対するＲＲＣ  ＩＤＬＥ及びＲＲＣ  ＣＯＮＮＥＣＴＥＤ状態、ＵＴＲＡＮに対するＵＥ  ＩＤＬＥモード、ＵＴＲＡＮに対するＣＥＬＬ＿ＦＡＣＨ、ＣＥＬＬ＿ＰＣＨ、ＵＲＡ＿ＰＣＨ、及びＣＥＬＬ＿ＤＣＨ状態における複数のＵＥに適用可能であり得る。実施形態において、ＲＡＮは、専用シグナリング及び／又はブロードキャストシグナリングを通じて複数のパラメータを提供する。ＵＥは、ＷＬＡＮと３ＧＰＰとの間で双方向のオフロードを実行するために、３ＧＰＰ  ＲＡＮ仕様書に定義される複数のＲＡＮルールに従う。そのように構成される場合、ユーザプレファレンスが優先され得る。オペレータプレファレンスに基づいて、ＵＥは、複数のＡＮＤＳＦポリシー又は複数のＲＡＮルールを用いてよい。例となるルールは、次の通りである。
if (measured_metricA < threshold 1) && (measured_metricB > threshold2) { 
steerTrafficToWLANO; 
} else if (measured_metricA > threshold3) || (measured_metricB < threshold4) { 
steerTrafficTo3gpp();
}
【００６９】
第３の実施形態において、ユーザプレファレンスは、（例えば、非オペレータＷＬＡＮが好ましい、又はＷＬＡＮがオフであるとき）ＲＡＮベース又はＡＮＤＳＦベースの複数のルールより常に優先されるように構成され得る。
【００７０】
実施形態において、複数のルールに基づく複数の分岐が可能である。第１の分岐において、ＡＮＤＳＦが存在しない場合、ＵＥは、ステアコマンドで示されたトラフィックをＷＬＡＮ又は３ＧＰＰに示されたとおり移動する。第２の分岐において、複数のアクセスネットワークがＡＮＤＳＦポリシーに従って可能であるとき、（例えば、特定の複数のＩＰフローに対して、ＡＮＤＳＦが、３ＧＰＰアクセス及びＷＬＡＮの優先付された順番を示す場合）トラフィックステアコマンドは、アクセスネットワークの優先の順番をオーバーライドし得る。３ＧＰＰアクセスからＷＬＡＮへトラフィックをステアするコマンドの受信により、ＵＥは、対応する複数のフローをＷＬＡＮに移動する。第３の分岐において、専用のトラフィックステアコマンドは、他の場合において、ＡＮＤＳＦをオーバーライドし得ない（すなわち、ＵＥは、可能性としてＡＮＳＤＦによって示されない（すなわち、禁止されるものとして示されない又は示される）アクセスネットワークにトラフィックを移動しない）。上の複数のルールは、Ｈ−ＡＮＤＳＦ又はＶ−ＡＮＤＳＦポリシーの何れがアクティブか否かに適用し得る。
【００７１】
一実施形態において、オペレータプレファレンス／構成に基づいて、ＵＥは、複数のＲＡＮルール又はＡＮＤＳＦの何れかを選択する。例えば、ローミングしているＵＥが複数のＲＡＮルールを用いるオペレータのネットワークにある場合、ホームオペレータはＡＮＤＳＦを配備するが、オペレータは、複数のＲＡＮルールを無視し、代わりに、複数のＡＮＤＳＦルールに従うようにＵＥを構成し得る。
【００７２】
上の動作は、その動作に任意に影響を与え得るユーザプレファレンス及び／又はＷＬＡＮ無線状態を考慮に入れない。例えば、ユーザプレファレンス及び／又はＷＬＡＮ無線状態に基づいて、ＵＥは、構成された複数の測定イベントを実行できなくてよい。さらに、その手順は、ＵＥがオペレータＷＬＡＮより非オペレータＷＬＡＮを優先できることを許可し得る。例えば、ＵＥは、測定プロセス中の任意の時間に、オペレータＷＬＡＮから切り離され、より高い優先度の非オペレータＷＬＡＮに関連付けられてよい。いくつかの場合において、いくつかの動作は、ＲＡＮ／ＵＥ構成に基づいて任意的であり得る（例えば、測定制御及び測定結果レポート）。
【００７３】
その動作及び説明は、ＵＭＴＳ  ＣＥＬＬ＿ＦＡＣＨにも適用し得る。その動作は、また、複数のＵＭＴＳ／ＬＴＥアイドルモード及び複数のＵＭＴＳ  ＣＥＬＬ／ＵＲＡ＿ＰＣＨ状態に拡張され得え、例えば、複数のＵＥは、ＲＲＣ  ＵＬメッセージ、例えば、（ＵＭＴＳ／ＬＴＥにおけるアイドルからの）ＲＲＣコネクションリクエスト又は（ＵＭＴＳ  ＣＥＬＬ／ＵＲＡ＿ＰＣＨ状態における）ＣＥＬＬ  ＵＰＤＡＴＥにおける（例えば、利用可能な複数のＷＬＡＮ測定結果についての）いくつかの指標をレポートするように構成され得る。 
【００７４】
ＢＳＳＩＤは、基本サービスセット識別子を表す。インフラストラクチャＢＳＳに対して、ＢＳＳＩＤは、ワイヤレスアクセスポイントのＭＡＣアドレスであり、ビーコン又はプローブ応答から来る。ＳＳＩＤは、サービスセット識別子を表す。ＳＳＩＤは、場合によってオーバーラップする複数のＢＳＳで用いられ得、ビーコン又はプローブ応答から来得る。ＨＥＳＳＩＤは、ホモジニアス拡張サービスセット識別子を表す。ＭＡＣアドレス、その値は、ネットワークにおける複数のＡＰのうちの一つのＢＳＳＩＤと同一の値で、ホットスポットオペレータによって構成される。ワイヤレスネットワークにおける全てのＡＰは、同一のＨＥＳＳＩＤ値で構成され得る。ＨＥＳＳＩＤは、ビーコン又はプローブ応答又は８０２．１１通信から来得る。ドメイン名リストエレメントは、ＷＬＡＮアクセスネットワークを運用するエンティティの１又は複数のドメイン名のリストを提供し、ＡＮＱＰ（ＨＳ２．０）から来得る。動作クラス及びチャネルの数は、対象のＷＬＡＮの周波数の指標である（異なる動作クラスの定義のための８０２．１１［５］の付録Ｅ参照）。
【００７５】
ＲＣＰＩ及びＲＳＮＩの両方は、ＵＥによって測定され得る。ＢＳＳ負荷は、ビーコン又はプローブ応答（８０２．１１ｋ）によって取得され得る。複数のＷＡＮメトリックは、（ＨＳ２．０における）ＡＮＱＰを通じて取得され得る。
【００７６】
ＷＬＡＮへ又はからステアするトラフィックを特定するための例は、ＤＲＢ／ＲＢ−ＩＤ及びＱＣＩを含み得る。ＤＲＢ／ＲＢ−ＩＤは、無線ベアラの識別子を表す。ＱＣＩは、ＱｏＳ（サービス品質）クラス識別子を表す。
【００７７】
［例］
以下の例は、さらなる実施形態に関する。 
【００７８】
例１は、モバイルブロードバンド（ＭＢＢ）インターフェース、ワイヤレスネットワークインターフェース、及びプロセッサを備えるモバイルデバイスである。モバイルブロードバンド（ＭＢＢ）インターフェースは、複数の第３世代パートナーシッププロジェクト（３ＧＰＰ）ネットワークに接続するように構成される。ワイヤレスネットワークインターフェースは、複数の非ＭＢＢネットワークに接続するように構成される。プロセッサは、モバイルデバイスに動作を実行させる命令を実行するように構成される。プロセッサは、複数のオフロードルールを処理するためのＭＢＢネットワーク構成を決定するように構成される。プロセッサは、ＭＢＢネットワーク構成と互換性がある複数のオフロードルールを用いるようにモバイルデバイスを構成するようにさらに構成される。プロセッサは、また、構成された複数のオフロードルールに基づいて、ＭＢＢインターフェースとワイヤレスネットワークインターフェースとの間でトラフィックをオフロードするか否かを決定するように構成される。プロセッサは、オフロードすることが決定されたときに、プロセッサが、どのコネクションをＭＢＢインターフェースとワイヤレスネットワークインターフェースとの間でオフロードするかを決定するようにさらに構成される。
【００７９】
例２において、例１のモバイルデバイスのプロセッサは、任意に、追加の動作を実行するように構成され得る。プロセッサは、オフロード構成データを無線リソース制御（ＲＲＣ）シグナリングから受信するように構成され得る。プロセッサは、複数のコネクションのオフロードのために利用可能な複数の非ＭＢＢアクセスポイント（非ＭＢＢ  ＡＰ）を記述する複数の非ＭＢＢ識別子を受信するようにさらに構成され得る。プロセッサは、また、複数の非ＭＢＢ識別子に対する非ＭＢＢ情報を取得するように構成され得る。プロセッサは、オフロード構成及び非ＭＢＢ情報に少なくとも部分的に基づいて、複数の無線アクセスネットワーク（ＲＡＮ）ルールを備える複数のオフロードルールを評価するようにさらに構成され得る。プロセッサは、また、非ＭＢＢ  ＡＰに接続することを決定するように構成され得る。プロセッサは、非ＭＢＢ  ＡＰにオフロードする複数のコネクションのセットを決定するようにさらに構成され得る。
【００８０】
例３において、例１−２のモバイルデバイスのプロセッサは、任意に、追加の動作を実行するように構成され得る。プロセッサは、オフロード構成データを備えるＭＢＢネットワーク情報を取得するようにさらに構成され得る。プロセッサは、また、複数のアクセスネットワーク発見及び選択機能（ＡＮＤＳＦ）ルールを備える複数のオフロードルールを取得するように構成され得る。プロセッサは、使用のために利用可能である複数のアクセスネットワークのセットを決定するために、複数のＡＮＤＳＦルールを評価するようにさらに構成され得、複数のアクセスネットワークのセットは、複数のＭＢＢネットワークのセット及び複数の非ＭＢＢネットワークのセットを含む。プロセッサは、また、複数のコネクションのオフロードのために利用可能な複数の非ＭＢＢネットワークを記述する複数の非ＭＢＢアクセスネットワーク識別子を取得するようにさらに構成され得る。プロセッサは、受信された複数の非ＭＢＢ識別子に対する非ＭＢＢ情報を取得するようにさらに構成され得る。プロセッサは、また、オフロード構成、ＭＢＢネットワーク情報、及び非ＭＢＢ情報に基づいて、複数のオフロードルールを評価するように構成され得る。プロセッサは、使用のために利用可能である複数のアクセスネットワークのセットから除去するために、複数のアクセスネットワークのセットのサブセットを決定するようにさらに構成され得る。プロセッサは、また、使用のために利用可能である複数のアクセスネットワークのセットにおける非ＭＢＢネットワークに接続するか否かを決定するように構成され得る。プロセッサは、非ＭＢＢネットワークに接続することが決定されたときに、プロセッサがどのコネクションを非ＭＢＢネットワークにオフロードするかを決定するようにさらに構成され得る。
【００８１】
例４において、例１−３のモバイルデバイスのプロセッサは、任意に、追加の動作を実行するように構成され得る。プロセッサは、非ＭＢＢオフロード構成データを受信するようにさらに構成され得る。プロセッサは、また、複数のコネクションのオフロードのために利用可能な複数の非ＭＢＢアクセスポイント（非ＭＢＢ  ＡＰ）を記述する複数の非ＭＢＢ識別子を受信するように構成され得る。プロセッサは、受信された複数の非ＭＢＢ識別子に対する複数の非ＭＢＢパラメータを決定するようにさらに構成され得る。プロセッサは、また、複数のＭＢＢパラメータ及び複数の非ＭＢＢパラメータを参照する複数のネットワークプロバイダルールを備える複数のオフロードルールを受信するように構成され得る。プロセッサは、複数のＭＢＢパラメータ及び複数の非ＭＢＢパラメータに基づいて、複数のネットワークプロバイダルールを評価するようにさらに構成され得る。プロセッサは、また、使用のために利用可能である複数のアクセスネットワークのセットを決定するように構成され得る。プロセッサは、使用のために利用可能である複数のアクセスネットワークのセットにおける非ＭＢＢ  ＡＰに接続するか否かを決定するようにさらに構成され得る。プロセッサは、非ＭＢＢ  ＡＰに接続するときに、プロセッサがどのコネクションを非ＭＢＢ  ＡＰにオフロードするかを決定し得るようにさらに構成され得る。
【００８２】
例５は、オフロード構成データを無線リソース制御（ＲＲＣ）シグナリングから受信するように構成されるユーザ機器（ＵＥ）である。ＵＥは、複数のパケットデータネットワーク（ＰＤＮ）コネクションのオフロードのために利用可能な複数のワイヤレスローカルエリアネットワークアクセスポイント（ＷＬＡＮ  ＡＰ）を記述する複数のＷＬＡＮ識別子を受信するようにさらに構成される。ＵＥは、また、ＷＬＡＮ識別子に対するＷＬＡＮ情報を取得するように構成される。ＵＥは、オフロード構成及びＷＬＡＮ情報に少なくとも部分的に基づいて、複数のＲＡＮルールを評価するようにさらに構成される。ＵＥは、また、ＷＬＡＮ  ＡＰに接続することを決定するように構成される。ＵＥは、ＷＬＡＮ  ＡＰにオフロードする複数のＰＤＮコネクションのセットを決定するようにさらに構成される。
【００８３】
例６において、例５のＵＥは、任意に、オフロード構成が、第３世代パートナーシッププロジェクト（３ＧＰＰ）オフロードプレファレンスインジケータ（ＯＰＩ）、基準信号受信電力（ＲＳＲＰ）閾値データ、基準信号品質（ＲＳＲＱ）閾値データ、受信信号強度インジケータ（ＲＳＳＩ）閾値データ、受信チャネル電力インジケータ（ＲＣＰＩ）閾値データ、受信信号雑音インジケータ（ＲＳＮＩ）閾値データ、又は基本サービスセット（ＢＳＳ）負荷閾値データのうちの１又は複数を備えるように構成され得る。
【００８４】
例７において、例５−６のＵＥは、任意に、オフロード構成を受信する段階が、複数のＲＡＮルールがＷＬＡＮへのオフロードを許可するか否かを決定するために、オフロード構成を評価する段階と、複数のＲＡＮルールがＷＬＡＮへのオフロードを許可しないときに、ＷＬＡＮオフロード評価のさらなる処理を停止する段階とをさらに備えるように構成され得る。
【００８５】
例８において、例５−７のＵＥは、任意に、複数のＲＡＮルールがＷＬＡＮへのオフロードを許可するか否かを決定するためにオフロード構成を評価する段階が、ＲＳＲＰをＲＳＲＰ閾値と比較する段階、又はＲＳＲＱ測定結果をＲＳＲＱ閾値と比較する段階をさらに備えるように構成され得る。
【００８６】
例９において、例５−８のＵＥは、任意に、複数のＷＬＡＮ識別子を受信する段階が、オープンモバイルアライアンスデバイス管理（ＯＭＡ  ＤＭ）オブジェクトレシート、無線リソース制御（ＲＲＣ）シグナリング、又はアクセスネットワーク発見及び選択機能（ＡＮＤＳＦ）によって、複数のＷＬＡＮ識別子を取得する段階をさらに備えるように構成され得る。
【００８７】
例１０において、例５−９のＵＥは、任意に、ＷＬＡＮ情報が、信号強度基本サービスセット（ＢＳＳ）負荷、複数のワイドエリアネットワーク（ＷＡＮ）メトリック、受信チャネル電力インジケータ（ＲＣＰＩ）、又は受信信号雑音インジケータ（ＲＳＮＩ）の少なくとも１つを備えるように構成され得る。
【００８８】
例１１において、例５−１０のＵＥは、任意に、ＷＬＡＮ  ＡＰに接続することを決定する段階が、複数のＲＡＮルールを満たす複数のＷＬＡＮ  ＡＰからＷＬＡＮ  ＡＰを選択する段階をさらに備えるように構成され得る。
【００８９】
例１２は、セルラーネットワークインターフェース、ワイヤレスネットワークインターフェース、及びプロセッサを備えるワイヤレスモバイルデバイスである。セルラーネットワークインターフェースは、複数の第３世代パートナーシッププロジェクト（３ＧＰＰ）ネットワークに接続するように構成される。ワイヤレスネットワークインターフェースは、複数の非３ＧＰＰネットワークに接続するように構成される。プロセッサは、ワイヤレスモバイルデバイスに動作を実行させる命令を実行するように構成される。プロセッサは、オフロード構成データを備えるセルラーネットワーク情報を取得するように構成され得る。プロセッサは、複数のアクセスネットワーク発見及び選択機能（ＡＮＤＳＦ）ルールを取得するようにさらに構成され得る。プロセッサは、また、使用のために利用可能である複数のアクセスネットワークのセットを決定するために、複数のＡＮＤＳＦルールを評価するように構成され得、複数のアクセスネットワークのセットは、複数の３ＧＰＰネットワークのセット及び複数の非３ＧＰＰネットワークのセットを含む。プロセッサは、複数のパケットデータネットワーク（ＰＤＮ）コネクションのオフロードのために利用可能な複数の非３ＧＰＰネットワークを記述する複数の非３ＧＰＰアクセスネットワーク識別子を取得するようにさらに構成され得る。プロセッサは、また、受信された複数の非３ＧＰＰ識別子に対する非３ＧＰＰ情報を取得するように構成され得る。プロセッサは、オフロード構成、セルラーネットワーク情報、及び非３ＧＰＰ情報に基づいて、複数のオフロードルールを評価するようにさらに構成され得る。プロセッサは、また、使用のために利用可能である複数のアクセスネットワークのセットから除去するために、複数のアクセスネットワークのセットのサブセットを決定するように構成され得る。プロセッサは、使用のために利用可能である複数のアクセスネットワークのセットにおける非３ＧＰＰネットワークに接続するか否かを決定するようにさらに構成され得る。プロセッサは、また、非３ＧＰＰネットワークに接続することを決定するときに、プロセッサが、どのＰＤＮコネクションを非３ＧＰＰネットワークにオフロードするかを決定するように構成され得る。
【００９０】
例１３において、例１２のＵＥは、任意に、複数のオフロードルールが複数の無線アクセスネットワーク（ＲＡＮ）ルールであるように構成され得る。
【００９１】
例１４において、例１２−１３のＵＥは、任意に、複数の３ＧＰＰネットワークが、グローバル・システム・フォー・モバイル・コミュニケーションズ（ＧＳＭ（登録商標））ネットワーク、汎用パケット無線サービス（ＧＰＲＳ）ネットワーク、ＧＳＭ（登録商標）進化型高速データレート（ＥＤＧＥ）ネットワーク、ユニバーサルモバイルテレコミュニケーションシステム（ＵＭＴＳ）ネットワーク、ロングタームエボリューション（ＬＴＥ）ネットワーク、又はＬＴＥアドバンスドネットワークを備えるように構成され得る。
【００９２】
例１５において、例１２−１４のＵＥは、任意に、複数の非３ＧＰＰネットワークが、複数のＷｉ−Ｆｉネットワーク又は複数のＷｉ−Ｍａｘネットワークをさらに備えるように構成され得る。
【００９３】
例１６において、例１２−１５のＵＥは、任意に、複数のＡＮＤＳＦルールが、複数のシステム間モビリティポリシー（ＩＳＭＰ）ルール、複数のシステム間ルーティングポリシー（ＩＳＲＰ）ルール、又は複数のＡＰＮ間ルーティングポリシー（ＩＡＲＰ）ルールを備えるように構成され得る。
【００９４】
例１７において、例１２−１６のＵＥは、任意に、複数のＡＮＤＳＦルールを取得する段階が、３ＧＰＰネットワークプロバイダから複数のＡＮＤＳＦルールを取得する段階をさらに備えるように構成され得る。
【００９５】
例１８において、例１２−１７のＵＥは、任意に、複数のＡＮＤＳＦルールを取得する段階が、静的な事前に設定されたＵＥの記憶装置から、複数のＡＮＤＳＦルールを取得する段階をさらに備えるように構成され得る。
【００９６】
例１９において、例１２−１８のＵＥは、任意に、複数のＡＮＤＳＦルールを取得する段階が、ＵＥにおいて複数のＡＮＤＳＦルールを事前に設定する段階をさらに備えるように構成され得る。
【００９７】
例２０において、例１２−１９のＵＥは、任意に、非３ＧＰＰネットワークに接続する段階が、オフロードする複数のＰＤＮコネクションのために、複数のＷＬＡＮコネクションを確立し、３ＧＰＰネットワークから複数のコネクションをリリースすべく、ＷＬＡＮリンク制御プロトコル（ＷＬＣＰ）を用いる段階をさらに備えるように構成され得る。
【００９８】
例２１は、セルラートラフィックをワイヤレスローカルエリアネットワーク（ＷＬＡＮ）トラフィックにオフロードするための方法である。方法は、ＷＬＡＮオフロード構成データを受信する段階を含む。方法は、複数のデータコネクションのオフロードのための利用可能な複数のワイヤレスローカルエリアネットワークアクセスポイント（ＷＬＡＮ  ＡＰ）を記述する複数のＷＬＡＮ識別子を受信する段階をさらに含む。方法は、また、受信された複数のＷＬＡＮ識別子に対する複数のＷＬＡＮパラメータを決定する段階を含む。方法は、複数のセルラーパラメータ及び複数のＷＬＡＮパラメータを参照する数のネットワークプロバイダルールを受信する段階をさらに含む。方法は、また、複数のセルラーパラメータ及び複数のＷＬＡＮパラメータに基づいて、複数のネットワークプロバイダルールを評価する段階を含む。方法は、使用のために利用可能である複数のアクセスネットワークのセットを決定する段階をさらに含む。方法は、また、使用のために利用可能である複数のアクセスネットワークのセットにおけるＷＬＡＮ  ＡＰに接続するか否かを決定する段階を含む。ＷＬＡＮ  ＡＰに接続するときに、方法は、どのデータコネクションをＷＬＡＮ  ＡＰにオフロードするかを決定する段階を含む。
【００９９】
例２２において、例２１の方法は、任意に、複数のネットワークプロバイダルールが、複数のセルラーパラメータ及び複数のＷＬＡＮパラメータを含む複数のアクセスネットワーク発見及び選択機能（ＡＮＤＳＦ）ルールであるように構成され得る。
【０１００】
例２３において、例２１−２２の方法は、任意に、複数のデータコネクションが、複数のパケットデータネットワーク（ＰＤＮ）コネクションであるように構成され得る。
【０１０１】
例２４において、例２１−２３の方法は、任意に、複数のネットワークプロバイダルールが、複数のＷＬＡＮパラメータと比較するために、複数のＷＬＡＮパラメータ閾値を記述する有効性基準をさらに備えるように構成され得る。
【０１０２】
例２５において、例２１−２４の方法は、任意に、複数のＷＬＡＮパラメータを決定する段階が、複数のネットワークプロバイダルールを評価する第１のプロトコルレイヤより低いユーザ機器（ＵＥ）の第２のプロトコルレイヤから複数のＷＬＡＮパラメータ閾値を受信する段階をさらに備えるように構成され得る。
【０１０３】
例２６において、例２５の方法は、任意に、複数のＷＬＡＮパラメータを決定する段階が、第２のプロトコルレイヤにおいて実行される閾値との比較を備えるように構成され得る。
【０１０４】
例２７において、例２５の方法は、任意に、複数のＷＬＡＮパラメータを決定する段階が、第２のプロトコルレイヤによって決定される値及び閾値を備え、値と閾値との間の比較が、複数のネットワークプロバイダルールを評価する段階の一部として第１のプロトコルレイヤにおいて実行されるように構成され得る。
【０１０５】
例２８において、例２５の方法は、任意に、第２のプロトコルレイヤが、無線リソース制御（ＲＲＣ）レイヤ、パケットデータコンバージェンスプロトコル（ＰＤＣＰ）レイヤ、無線リンク制御（ＲＬＣ）レイヤ、又は媒体アクセス制御（ＭＡＣ）レイヤであるように構成され得る。
【０１０６】
例２９において、例２５の方法は、任意に、第２のプロトコルレイヤがアクセス層レイヤであるように構成され得る。
【０１０７】
例３０において、例２５の方法は、任意に、第１のプロトコルレイヤがＡＮＤＳＦであるように構成され得る。
【０１０８】
例３１は、セルラーネットワークとワイヤレスローカルエリアネットワーク（ＷＬＡＮ）との間でトラフィックを移動するための方法である。方法は、利用可能なセルラーネットワーク無線アクセスネットワーク（ＲＡＮ）を決定する段階を含む。方法は、セルラーオフロード構成データを受信する段階をさらに含む。方法は、また、利用可能な複数のワイヤレスローカルエリアネットワークアクセスポイント（ＷＬＡＮ  ＡＰ）を記述する複数のＷＬＡＮ識別子を受信する段階を含む。方法は、受信された複数のＷＬＡＮ識別子に対する複数のＷＬＡＮパラメータを決定する段階をさらに含む。方法は、また、複数のセルラーパラメータを含むネットワークプロバイダ情報を受信する段階を含む。方法は、複数のセルラーパラメータ及び複数のＷＬＡＮパラメータに基づいて、複数のネットワークプロバイダルールを評価する段階をさらに含む。方法は、また、使用のために利用可能である複数のアクセスネットワークのセットを決定する段階を含み、複数のアクセスネットワークのセットは、複数のＷＬＡＮ  ＡＰ及び複数のセルラーネットワークＲＡＮを備える。方法は、使用のために利用可能である複数のアクセスネットワークのセットにおけるセルラーネットワークＲＡＮに接続するか否かを決定する段階をさらに含む。セルラーネットワークＲＡＮに接続するときに、方法は、どのデータコネクションをセルラーネットワークＲＡＮにオフロードするかを決定する段階を含む。
【０１０９】
例３２において、例３１のＵＥは、任意に、複数のＷＬＡＮパラメータを決定する段階が、複数のネットワークプロバイダルールを評価する第１のプロトコルレイヤより低いユーザ機器（ＵＥ）の第２のプロトコルレイヤから複数のＷＬＡＮパラメータ閾値を受信する段階をさらに備えるように構成され得る。
【０１１０】
例３３において、例３１−３２の方法は、任意に、複数のセルラーパラメータを含むネットワークプロバイダ情報を受信する段階が、第２のプロトコルレイヤにおいて実行される閾値との比較をさらに備えるように構成され得る。
【０１１１】
例３４において、例３１−３３の方法は、任意に、複数のセルラーパラメータを含むネットワークプロバイダ情報を受信する段階が、第２のプロトコルレイヤによって決定される値及び閾値をさらに備えるように構成され得、値と閾値との間の比較が、複数のネットワークプロバイダルールを評価する段階の一部として第１のプロトコルレイヤにおいて実行される。
【０１１２】
例３５において、例３４の方法は、任意に、第１のプロトコルレイヤが第２のプロトコルレイヤより高いように構成され得る。
【０１１３】
例３６において、例２１−３４の方法は、任意に、複数のネットワークプロバイダルールを評価する第１のプロトコルレイヤより低いユーザ機器（ＵＥ）の第２のプロトコルレイヤから複数のＷＬＡＮパラメータ閾値を受信するように構成され得る。方法は、また、任意に、複数のネットワークプロバイダルールを評価する第１のプロトコルレイヤより低いユーザ機器（ＵＥ）の第２のプロトコルレイヤから複数のセルラーパラメータ閾値を受信するように構成され得る。方法は、任意に、複数のネットワークプロバイダルールを評価する段階の一部として第１のプロトコルレイヤにおいて値と閾値との間の比較を実行するように構成され得る。方法は、また、任意に、第２のプロトコルレイヤによって値及び閾値を決定し、複数のネットワークプロバイダルールを評価する段階の一部として第１のプロトコルレイヤにおいて値と閾値との間の比較を実行するように構成され得る。
【０１１４】
例３７において、例２１−３４の方法は、任意に、複数のネットワークプロバイダルールが、複数のアクセスネットワーク発見及び選択機能（ＡＮＤＳＦ）ルール及び複数の無線リソース制御（ＲＲＣ）ルールのうちの１又は複数をさらに備えるように構成され得る。
【０１１５】
例３８は、例２１−３７の何れかに説明されたような方法を実行する手段を備える装置である。
【０１１６】
例３９は、実行されたときに、例２１−３７の何れかに説明されたような方法を実装又は装置を実現するための機械可読命令を含む機械可読記憶装置である。
【０１１７】
様々な技術、又は特定の態様又はこれらの部分は、フロッピー（登録商標）ディスケット、ＣＤ−ＲＯＭ、ハードドライブ、非一時的コンピュータ可読記憶媒体、又は任意の他の機械可読記憶媒体等の有形の媒体において具現化されるプログラムコード（すなわち、命令）の形態を採用してよく、プログラムコードがコンピュータ等の機械によってロードされて実行されたときに、機械が様々な技術を実施する装置になる。プログラマブルなコンピュータ上でのプログラムコードの実行の場合、コンピューティングデバイスは、プロセッサ、プロセッサによって可読である記憶媒体（揮発性及び不揮発性メモリ、及び／又は記憶要素を含む）、少なくとも１つの入力デバイス、及び少なくとも１つの出力デバイスを含んでよい。揮発性及び不揮発性メモリ及び／又は記憶要素は、ＲＡＭ、ＥＰＲＯＭ、フラッシュドライブ、光ドライブ、磁気ハードドライブ、又は電子データを格納するための他の媒体であってよい。ｅＮＢ（又は他の基地局）及びＵＥ（又は他の移動局）は、また、送受信機コンポーネント、カウンタコンポーネント、処理コンポーネント、及び／又はクロックコンポーネント又はタイマコンポーネントを含んでよい。ここで説明される様々な技術を実装又は利用してよい１又は複数のプログラムは、アプリケーションプログラミングインターフェース（ＡＰＩ）、リユーザブルコントロール、及びその類のものを用いてよい。そのようなプログラムは、コンピュータシステムと通信するために、高水準手順型又はオブジェクト指向プログラミング言語で実装されてよい。しかし、所望の場合、（複数の）プログラムは、アセンブリ又は機械言語で実装されてよい。いずれの場合においても、言語は、コンパイラ型又はインタプリタ型言語であり、ハードウェア実装と組み合わせられてよい。
【０１１８】
本明細書において説明されされる多くの機能ユニットが、１又は複数のコンポーネントとして実装されてよいことが理解されるべきであり、それらの実装の独立性をより具体的に強調するために用いられる用語である。例えば、コンポーネントは、カスタムの超大規模集積（ＶＬＳＩ）回路又はゲートアレイ、ロジックチップ等の既製の半導体、トランジスタ、又は他の別々のコンポーネントを備えるハードウェア回路として実装されてよい。コンポーネントは、また、フィールドプログラマブルゲートアレイ、プログラマブルアレイロジック、プログラマブルロジックデバイス、又はその類のもの等のプログラマブルハードウェアデバイスで実装されてよい。
【０１１９】
コンポーネントは、また、様々なタイプのプロセッサによる実行のためのソフトウェアで実装されてよい。実行可能コードの特定のコンポーネントは、例えば、コンピュータ命令の１又は複数の物理又は論理ブロックを備えてよく、例えば、オブジェクト、プロシージャ、又は関数として体系化されてよい。それでもなお、特定のコンポーネントの実行ファイルは、物理的に共に位置付けられる必要はないが、論理的に共に結合されたときに、そのコンポーネントを備え、そのコンポーネントのための述べられた目的を達成する異なる位置に格納される異なる命令を備えてよい。
【０１２０】
実際、実行可能コードのコンポーネントは、単一の命令又は多くの命令であってよく、さらに、いくつかの異なるコードセグメントを跨いで、異なるプログラムの中で、及びいくつかのメモリデバイスをわたって分布されてよい。同様に、処理データは、コンポーネント内にここで特定されて示されてよく、任意の適切な形態で具現化され、任意の適切なタイプのデータ構造内で体系化されてよい。処理データは、単一のデータセットとして集められてよく、又は異なる記憶デバイスを跨って含む異なる位置に跨って分布させられてよく、及び単にシステム又はネットワーク上で電子信号として少なくとも部分的に存在してよい。コンポーネントは、受動的又は能動的であってよく、所望の機能を実行するように動作可能であるエージェントを含む。
【０１２１】
本明細書を通じた「例」への参照は、その例に関連して説明される特定の特徴、構造、又は特性が、本発明の少なくとも１つの実施形態に含まれることをを意味する。したがって、本明細書全体を通じて様々な箇所における「例において」という表現の出現は、必ずしも全て同一の実施形態を参照していない。
【０１２２】
ここで用いられるように、複数のアイテム、構造的要素、構成要素、及び／又は材料は、便宜上、共通のリストにおいて提示されてよい。しかし、これらのリストは、リストの各部材が別個で一意的な部材として個別に特定されるように解釈されるべきである。したがって、そのようなリストの個々の部材は、それとは反対の指摘がない限り、共通のグループにおけるそれの提示に専ら基づいて、同一のリストの任意の他の部材の事実上の均等物として解釈されるべきではない。さらに、本発明の様々な実施形態及び例は、これらの様々なコンポーネントの代替手段と共にここで参照されてよい。そのような実施形態、例、及び代替手段は、互いの事実上の均等物として解釈されず、本発明の別個で自律的な表現として考慮されるべきであることが理解される。
【０１２３】
さらに、説明される特徴、構造、又は特性は、１又は複数の実施形態において、任意の適切な態様で組み合わせられてよい。以下の説明において、本発明の実施形態の深い理解を提供するために、例えば、材料の例、周波数、サイズ、長さ、幅、形状等の多くの具体的な詳細が提供される。しかし、当業者は、本発明が特定の詳細のうちの１又は複数を伴わず、又は他の方法、コンポーネント、材料等を伴って実施されてよいことを認識するであろう。他の例において、周知の構造、材料、又は動作は、本発明の態様を分かりにくくすることを防ぐために、示されず又は詳細に説明されない。
【０１２４】
上記のものは、明瞭さの目的のためにいくつかの詳細において説明されているが、これらの原理から逸脱することなく、特定の変更及び修正がなされてよいことが明らかであろう。ここで説明されるプロセス及び装置の両方を実装することの多くの代替の手法があることが留意されるべきである。したがって、本実施形態は、例示であって限定的でないと考慮されるべきであり、本発明は、ここで与えられる詳細に限定されるべきでないが、添付の請求項の範囲及び均等物の範囲内で修正されてよい。
【０１２５】
当業者は、本発明の根本的な原理から逸脱することなく、上で説明された実施形態の詳細に対して、多くの変更がなされてよいことを理解するであろう。したがって、本発明の範囲は、以下の請求項によってのみ決定されるべきである。
【図１】
0006331110.tif 000002
【図２】
0006331110.tif 000003
【図３】
0006331110.tif 000004
【図４】
0006331110.tif 000005
【図５】
0006331110.tif 000006
【図６】
0006331110.tif 000007
【図７】
0006331110.tif 000008
【図８】
0006331110.tif 000009